(57)【要約】【課題】数字選択式宝くじの申込カードのマーキングから、宝くじ券発行、および、購入料金の支払いまでの一連の作業を、購入者が一つの装置で実行できるようにした宝くじ券の自動販売機を提供すること。【解決手段】申込入力情報に応じて申込カードを印字発行する申込カード作成機構と、申込内容に対応する購入料金を決定受容する購入金額決済機構と、申込カードの印字内容にもとづいて宝くじ券を印字発行する宝くじ券発売機構とを一体にし、申込カードの作成から、購入金額の決済および宝くじ券の発行までを、一連の操作で行うことができる。【選択図】　　　　図１
2004078616.tif 000002
【特許請求の範囲】
【請求項１】
申込入力情報に応じて申込カードを印字発行する申込カード作成機構と、申込内容に対応する購入料金を決定受容する購入金額決済機構と、申込カードの印字内容にもとづいて宝くじ券を印字発行する宝くじ券発売機構とを一体にしたオンライン宝くじの自動販売機。
【請求項２】
申込カード作成機構で作成した申込カードを宝くじ発券機構に転送する搬送装置を備えたことを特徴とする請求項１記載のオンライン宝くじの自動販売機。
【請求項３】
宝くじ券発券機構に手差し用の申込カード挿入口を設けたことを特徴とする請求項１または２記載のオンライン宝くじの自動販売機。
【発明の詳細な説明】
【０００１】
【発明の属する技術分野】
本発明は、オンライン宝くじの自動販売機に関し、詳しくは、オンライン宝くじ購入および宝くじ情報提供装置と数字選択式宝くじの販売端末機とＩＣカードを組み合わせたオンライン宝くじの自動販売機に関する。
【０００２】
【従来の技術】
数字選択式宝くじには、１〜４３の数字の内から異なる６個を選択するもの（ロト６）、１〜３１の数字の内から異なる５個を選択するもの（ミニロト）、３桁（３列）の各桁に０〜９の数字と、申込タイプ（ストレート、ボックス、セット、ミニ等数字欄に右側に表示）を併せて選択するもの（ナンバーズ３）、４桁（４列の）の各桁に０〜９の数字と、申込タイプを併せて選択するもの（ナンバーズ４）、があるが、いずれのものも、くじ購入希望者が申込カードに表記された数字を鉛筆等筆記具を用いて塗りつぶし、その塗りつぶし部を発券機が読み取り投票券を発行している。
【０００３】
したがって、数字選択式宝くじを購入する場合、購入希望者が販売店に備え付けられている申込カードに希望数字を塗りつぶしたうえ、購入額に見合った料金と共に係員に渡し、係員が宝くじ券発売機により発券するので、数字選択式宝くじの宝くじ券発行に手間がかかっていた。
【０００４】
【発明が解決しようとする課題】
そこで、本発明は、数字選択式宝くじの申込カードのマーキングから、宝くじ券発行、および、購入料金の支払いまでの一連の作業を、購入者が一つの装置で実行できるようにした宝くじ券の自動販売機を提供することを課題とする。
【０００５】
【課題を解決するための手段】
上記課題を解決するために、本発明のオンライン宝くじの自動販売機は、請求項１の発明にあっては、申込入力情報に応じて申込カードを印字発行する申込カード作成機構と、申込内容に対応する購入料金を決定受容する購入金額決済機構と、申込カードの印字内容にもとづいて宝くじ券を印字発行する宝くじ券発売機構とを一体にしたことを特徴とし、請求項２の発明にあっては、請求項１の発明に、申込カード作成機構で作成した申込カードを宝くじ発券機構に転送する搬送装置を備えたことを特徴とし、請求項３の発明にあっては、請求項１または２の発明に、宝くじ券発券機構に手差し用の申込カード挿入口を設けたことを特徴とする。
【０００６】
【作用】
申込カード作成機構のディスプレイ上の案内に従って購入希望条件を入力する。
入力された購入条件に応じて申込カード作成機構により申込カードを作成する。
申込カード作成機構で作成された申込カードを宝くじ券発売機構に転送する。申込カード作成機構のディスプレイ上に表示された購入金を購入金額決済機構に入金する。
宝くじ券発売機構は申込カードのマーキング内容を読み取り、その内容に応じた宝くじ情報を宝くじ用シートに印字して宝くじ券を作成し、申込カードと共に搬出する。
発売された宝くじ券のくじ情報はホストコンピュータに記憶される。
【０００７】
【発明の実施の形態】
図１、２により、本発明のオンライン宝くじの自動販売機を説明するが、本発明の細部の構成は、この実施の形態により限定されるものではない。
【０００８】
図１に示すように、本発明のオンライン宝くじの自動販売機は、筐体内に配置された、申込カード作成機構１０、購入金額決済機構２０、および、宝くじ券発売機構で構成されている。以下各機構の詳細を説明する。
【０００９】
《申込カード作成機構》
申込カード作成機構１０は、購入希望条件を入力すると共に、画面に表示された申込カードに購入条件を入力するものであり、申込カード面を表示する表示装置と、表示画面の表示に従って購入希望条件を入力する入力装置と、発売する宝くじ券の種類に対応した申込カードをストックするカードストッカーと、選択された宝くじの種類に応じて提供された申込カードのマーキング欄の、希望条件欄にマーキングを施すプリンターと、マーキング済みの申込カードを宝くじ券発売機構に転送する搬送装置と、上記各装置を制御する制御器とで構成されている。
【００１０】
上記構成の宝くじ券発券機構３０は、
（１）購入希望者の購入条件を決定するのを支援するための直前までの抽選結果情報を表示するオンラインくじ情報機能、
（２）申込カードの購入希望条件に対応する欄にマーキングを施すべくマーキング指示機能、
（３）内蔵されている用紙に購入希望条件に応じて申込カードの対応する欄にマーキングを施すべく印刷指示機能、
（４）当該販売機が発行可能な、くじの種類、カード枚数、購入金額、くじ枚数を表示する発券情報提供機能、
を有する。
【００１１】
《制御器３》
また、申込カード作成機構１０の作動を制御する制御器３は、
（１）選択されたくじの種類に応じた申込カードを選択するカード用意機能、（２）選択された申込カードをプリンターへの提供する申込カード提供機能、
（３）プリント済み申込カードの回収を行う申込カード回収機能、
を有する。
【００１２】
申込カード作成機構１０の排出路からコンベヤベルト等の搬送装置によって宝くじ券発売機構の申込カード搬送路に転送される。
【００１３】
なお、上記例では申込カードを申込カード作成機構１０から宝くじ券発券機構３０に転送するように構成したが、申込カード作成機構１０に入力された購入条件を電子情報として宝くじ券発券機構３０に提供するように構成してもよい。
【００１４】
《購入金額決済機構》
申込カード作成機構１０からの購入金額情報にもとづいて、宝くじ券の購入に必要な購入金の決済を行うものであり、
（１）申込カード作成機構１０からの購入金額の受信機能、、
（２）現金またはＩＣカードによる購入金額の決済機能、、
（３）購入金額決済の結果（正、不）報告機能、
を有する。
【００１５】
現金による購入金額決済機構２０は、投入金額を確認する投入金額確認部と、投入金額と申込カード作成機構１０から送られてきた購入金額とを比較する比較部と、比較部の比較結果にもとづき釣り銭を払い戻す釣り銭払い戻し部とで構成されている。
【００１６】
また、ＩＣカードによる購入金額決済機構２０は、ＩＣカードの金額情報から投入金額と申込カード作成機構１０から送られてきた購入金額を差し引いて記録するカードリーダーライター部と、ホストコンピュータ４０と情報の授受を行う通信部とで構成されている。
【００１７】
《宝くじ券発売機構》
宝くじ券発売機構は、上記申込カード作成機構１０で作成された申込カード、または、手書きで作成された申込カードにもとづいて宝くじ券を発券するものであって、通信回線を介してセンタのホストコンピュータ４０に接続されている。
【００１８】
宝くじ券発券機構３０は、
（１）申込カード挿入口、および、申込カード作成機構１０から転送されてくる作成済みの申込カードの案内装置。
（２）宝くじ券を購入する際に、申込カード作成機構１０から転送されてきた申込カード、または、申込カード挿入口３１から挿入された申込カードに記入されている券面データを読み取り、読み取った券面データを制御・通信部に出力する申込カード読み取り装置。
（３）宝くじ券用用紙に券面データを印字して宝くじ券を作成するプリンター。
（４）宝くじ券排出口に備えられ、宝くじ券が排出されたことを検知し、その旨を制御・通信部に出力する宝くじ券排出検知センサ。
（５）センタに備えられているホストコンピュータ４０から発券指示を受けると、プリンタに対して宝くじ券の発券指示を出力し、その後、プリンタにより宝くじ券の印刷が終了し、投票券排出口から宝くじ券を発行すると、宝くじ券排出口の上部に備えられている宝くじ券排出検知センサから宝くじ券を排出した旨の通知、すなわち発券を終了した旨の通知を受ける制御通信装置
で構成されている。
【００１９】
なお、ホストコンピュータ４０は、制御・通信部から宝くじ券の券面データを受けると、数字選択式宝くじの賞金管理に必要な、これら券面データを記憶部に記憶させるようになっている。
【００２０】
上記構成の宝くじ券発売機構は、
（１）申込カード作成機構１０から転送されてきた申込カードのマーキング状態の読み込み機能、
（２）読み込んだ購入希望条件を印字して宝くじ券を発券機能、
（３）発券した宝くじのくじ情報をホストコンピュータ４０へ発信機能、
（４）申込カード返却機能、
（５）動作の完了（正常、異常）通知機能、
を有する。
【００２１】
《制御器１、２》
制御器１は、宝くじ券発売機構の作動を制御するものであり、
（１）申込カード作成機構１０を制御する制御器３から申込カード受取機能、
（２）宝くじ券発券機構３０へ申込カード提供機能、
（３）申込カード返却受付・返却機能、
（４）宝くじ券回収／ポケットへの落とし込み機能、
（５）宝くじ発券の可、不可把握機能、
を有し、また、制御器２は、
（１）カード類取り忘れ感知機能、
（２）カード類取り忘れ通知機能、
を有する。
【００２２】
《全体制御》
各機構の作動を統合すると共に、ホストコンピュータ４０との情報の授受を行うものであり、
（１）作業進行管理機能、
（２）各モジュールとの制御信号授受機能、
（３）異常時通報機能、
（４）介在必要時通報機能、
（５）ログ作成機能、
を有する。
【００２３】
次に、図２にもとづいて制御信号の授受を作動の流れに沿って説明する。
（１）申込カード作成機構１０から全体制御に対して、くじ種類、申込カード枚数、宝くじ券枚数、購入金額を送信する（図２中矢印▲１▼）。
（２）全体制御から制御器３に対して、申込カード準備指令を行う（図２中矢印▲２▼）。
（３）制御器３から全体制御に対して、準備完了報告を行う（図２中矢印▲２▼）。
（４）全体制御から申込カード作成機構１０に対して、印刷開始指令を出す（図２中矢印▲１▼）。
（５）申込カード作成機構１０は、プリンターに印刷指令を発する。
（６）制御器３は全体制御に対して、印刷完了報告を行う（図２中矢印▲２▼）。
（７）全体制御から購入金額決済機構２０に対して、購入金額通知およびスタンバイ指令を出す（図２中矢印▲３▼）。
（８）購入金額決済機構２０から全体制御に対して、タイムアウト監視と完了通知、　購入金額決済済み通知を行う（図２中矢印▲３▼）。
（９）全体制御から、制御器３に対して申込カードの受け渡し指示、制御器１に対して申込カード受け取り指示を出す（図２中矢印▲２▼）。
（１０）制御器１から全体制御に対して、申込カードすべてを受け取り済み報告をする（図２中矢印▲４▼）。
（１１）全体制御から宝くじ券発券機構３０に対して、申込カードを宝くじ券発券機構３０へ挿入指示、会計ボタン押し指示、宝くじ回収指示をする（図２中矢印▲４▼）。
（１２）制御器２は券類取り忘れチェックする。
【００２４】
【発明の効果】
申込カードの作成から、購入金額の決済および宝くじ券の発行までを、一連の操作で行うことができるので、宝くじ券の販売および購入が簡単になり、しかも、その操作は購入希望者自ら行うことができるので、販売員の配置が必要がない。
【図面の簡単な説明】
【図１】オンライン宝くじの自動販売機の外観図である。
【図２】オンライン宝くじの自動販売機のブロック図である。
【符号の説明】
１０　申込カード作成機構
２０　購入金額決済機構
３０　宝くじ券発券機構
３１　申込みカード挿入口
４０　ホストコンピュータ
【図１】
2004078616.tif 000003
【図２】
2004078616.tif 000004